(57)【要約】【課題】  ビデオカメラで撮影された映像信号を、一回だけＡ／Ｄ変換してデジタル信号として出力する場合には、Ａ／Ｄ変換部に入力されるアナログ信号にノイズが乗っている場合には、ノイズが乗ったままデジタル信号に変換されてしまい、結果として、映像の質が落ちてしまうことになる。【解決手段】  本発明は、上記課題に鑑みなされたものである。  第一の発明は、撮像素子と、撮像素子からの映像アナログ信号を映像デジタル信号に変換する第一Ａ／Ｄ変換部と、第一Ａ／Ｄ変換部から出力される映像デジタル信号を映像アナログ信号に変換する第一Ｄ／Ａ変換部と、第一Ｄ／Ａ変換部から出力される映像アナログ信号を再度映像デジタル信号に変換する第二Ａ／Ｄ変換部と、を有する撮影システムに関する。【選択図】  図１
2007067697.tif 000002
【特許請求の範囲】
【請求項１】
撮像素子と、
撮像素子からの映像アナログ信号を映像デジタル信号に変換する第一Ａ／Ｄ変換部と、
第一Ａ／Ｄ変換部から出力される映像デジタル信号を映像アナログ信号に変換する第一Ｄ／Ａ変換部と、
第一Ｄ／Ａ変換部から出力される映像アナログ信号を再度映像デジタル信号に変換する第二Ａ／Ｄ変換部と、
を有する撮影システム。
【請求項２】
さらにモータを有し、
前記第一Ａ／Ｄ変換部から前記第一Ｄ／Ａ変換部への配線部がモータ近傍を引き回されている請求項１に記載の撮影システム。
【請求項３】
マイクと、
前記マイクからの音声アナログ信号を音声デジタル信号に変換する第三Ａ／Ｄ変換部と、
前記第二Ａ／Ｄ変換部からの映像デジタル信号と、前記第三Ａ／Ｄ変換部からの音声デジタル信号とを重ね合わせて映像・音声デジタル信号とする映像・音声デジタル信号生成部と、
を有する請求項１に記載の撮影システム。
【請求項４】
前記第一Ａ／Ｄ変換部と、前記第一Ｄ／Ａ変換部とが、前記撮像素子から直接的に出力される映像アナログ信号中の高調波成分を除去するフィルター機能を有する請求項１に記載の撮影システム。
【請求項５】
前記第一Ａ／Ｄ変換部と、前記第一Ｄ／Ａ変換部とが、前記撮像素子から直接的に出力される映像アナログ信号中の高調波成分を除去するフィルター機能を有する請求項２に記載の撮影システム。
【請求項６】
前記第一Ａ／Ｄ変換部と、前記第一Ｄ／Ａ変換部とが、前記撮像素子から直接的に出力される映像アナログ信号中の高調波成分を除去するフィルター機能を有する請求項３に記載の撮影システム。
【請求項７】
第一Ａ／Ｄ変換部から出力される映像デジタル信号を画像圧縮信号に符号化する画像圧縮信号符号化部を有する請求項１から６のいずれか一に記載の撮影システム。
【請求項８】
前記映像・音声デジタル信号生成部からの映像・音声デジタル信号を出力する第一出力部と、
前記画像圧縮信号符号化部からの画像圧縮信号を出力する第二出力部と、
を有し、
第一出力部と、第二出力部とは同時に信号出力が可能である請求項７に記載の撮影システム。
【請求項９】
撮像素子と、第一Ａ／Ｄ変換部と、第一Ｄ／Ａ変換部と、第二Ａ／Ｄ変換部と、からなる撮影システムの動作方法であって、
撮像素子からの映像アナログ信号を映像デジタル信号に変換する第一Ａ／Ｄ変換ステップと、
第一Ａ／Ｄ変換ステップから出力される映像デジタル信号を映像アナログ信号に変換する第一Ｄ／Ａ変換ステップと、
第一Ｄ／Ａ変換ステップから出力される映像アナログ信号を再度映像デジタル信号に変換する第二Ａ／Ｄ変換ステップと、
とからなる工程を有する撮影システムの動作方法。
【請求項１０】
マイクと、第三Ａ／Ｄ変換部と、映像・音声デジタル信号生成部と、を有する撮影システムの動作方法であって、
前記マイクからの音声アナログ信号を音声デジタル信号に変換する第三Ａ／Ｄ変換ステップと、
前記第二Ａ／Ｄ変換ステップからの映像デジタル信号と、前記第三Ａ／Ｄ変換ステップからの音声デジタル信号とを重ね合わせて映像・音声デジタル信号とする映像・音声デジタル信号生成ステップと、
を有する請求項９に記載の撮影システムの動作方法。
【請求項１１】
第一Ａ／Ｄ変換ステップから出力される映像デジタル信号を画像圧縮信号に符号化する画像圧縮信号符号化ステップを有する請求項９又は１０に記載の撮影システムの動作方法。
【請求項１２】
前記映像・音声デジタル信号生成ステップからの映像・音声デジタル信号を出力する第一出力ステップと、
前記画像圧縮信号符号化ステップからの画像圧縮信号を出力する第二出力ステップと、
を有し、
第一出力ステップと、第二出力ステップとは同時に信号出力が可能である請求項１１に記載の撮影システムの動作方法。
【発明の詳細な説明】
【技術分野】
【０００１】
本発明は、ビデオカメラで撮影した映像信号を、複数のＡ／Ｄ変換を行ってデジタル信号出力することが可能な撮影システムに関する。
【背景技術】
【０００２】
従来、ビデオカメラにおいて撮影された映像信号及び音声信号は、特許文献１に開示されているように、一回Ａ／Ｄ変換を行った後、ＭＰＥＧ（Ｍｏｖｉｎｇ  Ｐｉｃｔｕｒｅ  Ｅｘｐｅｒｔｓ  Ｇｒｏｕｐ）等の圧縮処理がなされた後、ビデオテープや、ＨＤ（Ｈａｒｄ  Ｄｉｓｃ）、ＤＶＤ（Ｄｉｇｉｔａｌ  Ｖｅｒｓａｔｉｌｅ  Ｄｉｓｃ）などの記録媒体に記録されたり、外部出力されたりして利用される。
【特許文献１】特開平９−２８４８０６
【発明の開示】
【発明が解決しようとする課題】
【０００３】
しかしながら、ビデオカメラで撮影された映像信号を、一回だけＡ／Ｄ変換してデジタル信号として出力する場合には、Ａ／Ｄ変換部に入力されるアナログ信号にノイズが乗っている場合には、ノイズが乗ったままデジタル信号に変換されてしまい、結果として、映像の質が落ちてしまうことになる。
【課題を解決するための手段】
【０００４】
本発明は、上記課題に鑑みなされたものである。
【０００５】
第一の発明は、撮像素子と、撮像素子からの映像アナログ信号を映像デジタル信号に変換する第一Ａ／Ｄ変換部と、第一Ａ／Ｄ変換部から出力される映像デジタル信号を映像アナログ信号に変換する第一Ｄ／Ａ変換部と、第一Ｄ／Ａ変換部から出力される映像アナログ信号を再度映像デジタル信号に変換する第二Ａ／Ｄ変換部と、を有する撮影システムに関する。
【０００６】
第二の発明は、さらにモータを有し、前記第一Ａ／Ｄ変換部から前記第一Ｄ／Ａ変換部への配線部がモータ近傍を引き回されている第一の発明に記載の撮影システムに関する。
【０００７】
第三の発明は、マイクと、前記マイクからの音声アナログ信号を音声デジタル信号に変換する第三Ａ／Ｄ変換部と、前記第二Ａ／Ｄ変換部からの映像デジタル信号と、前記第三Ａ／Ｄ変換部からの音声デジタル信号とを重ね合わせて映像・音声デジタル信号とする映像・音声デジタル信号生成部と、を有する第一の発明に記載の撮影システムに関する。
【０００８】
第四の発明は、前記第一Ａ／Ｄ変換部と、前記第一Ｄ／Ａ変換部とが、前記撮像素子から直接的に出力される映像アナログ信号中の高調波成分を除去するフィルター機能を有する第一の発明に記載の撮影システムに関する。
【０００９】
第五の発明は、前記第一Ａ／Ｄ変換部と、前記第一Ｄ／Ａ変換部とが、前記撮像素子から直接的に出力される映像アナログ信号中の高調波成分を除去するフィルター機能を有する第二の発明に記載の撮影システムに関する。
【００１０】
第六の発明は、前記第一Ａ／Ｄ変換部と、前記第一Ｄ／Ａ変換部とが、前記撮像素子から直接的に出力される映像アナログ信号中の高調波成分を除去するフィルター機能を有する第三の発明に記載の撮影システムに関する。
【００１１】
第七の発明は、第一Ａ／Ｄ変換部から出力される映像デジタル信号を画像圧縮信号に符号化する画像圧縮信号符号化部を有する第一の発明から第六の発明のいずれか一に記載の撮影システムに関する。
【００１２】
第八の発明は、前記映像・音声デジタル信号生成部からの映像・音声デジタル信号を出力する第一出力部と、前記画像圧縮信号符号化部からの画像圧縮信号を出力する第二出力部と、を有し、第一出力部と、第二出力部とは同時に信号出力が可能である第七の発明に記載の撮影システムに関する。
【発明の効果】
【００１３】
本発明によれば、ビデオカメラで撮影した映像信号を、複数のＡ／Ｄ変換を行って映像デジタル信号出力することが可能である。したがって、映像アナログ信号の出力形式を変更したり、映像アナログ信号に乗った高調波ノイズを除去したりすることができる。
【発明を実施するための最良の形態】
【００１４】
以下に本発明の実施形態について説明する。実施形態と、請求項との関係はおおむね次のようなものである。
実施形態１は、主に、請求項１、請求項４、請求項９などについて説明している。
実施形態２は、主に、請求項２、請求項５などについて説明している。
実施形態３は、主に、請求項３、請求項６、請求項１０などについて説明している。
実施形態４は、主に、請求項７、請求項１１などについて説明している。
実施形態５は、主に、請求項８、請求項１２などについて説明している。
【００１５】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インターフェース、その他の周辺装置などのハードウェア構成部や、それらハードウェアを制御するためのドライバプログラムやその他アプリケーションプログラムなどが挙げられる。
【００１６】
また、この発明は装置またはシステムとして実現できるのみでなく、方法としても実現可能である。また、このような発明の一部をソフトウェアとして構成することができることもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【００１７】
以下に、図を用いて本発明の実施の形態を説明する。なお、本発明はこれら実施の形態に何ら限定されるものではなく、その要旨を逸脱しない範囲において、種々なる態様で実施しうる。
【００１８】
<<実施形態１>>
以下に、実施形態１について説明する。
<実施形態１の概念>
以下に本実施形態の概念について説明する。本実施形態の撮影システムは、ビデオカメラで撮影した映像信号を、複数のＡ／Ｄ変換を行って映像デジタル信号出力することができる点に特徴がある。
【００１９】
<構成要件の明示>
以下に、本実施形態の構成要件を明示する。
図１は、本実施形態の撮影システムの機能ブロックの一例を示す図である。撮影システム０１００は、撮像素子０１０１と、第一Ａ／Ｄ変換部０１０２と、第一Ｄ／Ａ変換部０１０３と、第二Ａ／Ｄ変換部０１０４と、からなる。
【００２０】
<構成要件の説明>
以下に、本実施形態の構成要件について説明をする。
（撮像素子）
「撮像素子」とは、映像を撮影するための素子のことをいう。撮像素子には、一例として、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型固体撮像素子、ＣＣＤ（Ｃｈａｒｇｅ  Ｃｏｕｐｌｅｄ  Ｄｅｖｉｃｅ）型固体撮像素子などが挙げられる。
【００２１】
ＣＭＯＳ型固体撮像素子は、フォトダイオードに蓄積した電荷を，それぞれの画素で電圧に変換し増幅したうえで読み出す撮像素子である。消費電力を小さくできることや小型化に向くことから、主に、携帯電話機、デジタルカメラ、ビデオカメラに利用されている。
【００２２】
ＣＣＤ型固体撮像素子は、フォトダイオードに蓄積した電荷を、転送ＣＣＤを使ってバケツ・リレーのように出力回路に転送して読み出す撮像素子である。充電変換の基本的な原理はＣＭＯＳ型固体撮像素子と同じである。しかし、ＣＭＯＳ型では、電荷電圧変換と増幅を各画素で行うのに対して、ＣＣＤ型では、電荷のままバケツ・リレーのように転送して、出力段でこれらの処理を行う点で異なる。ＣＣＤ型では、転送効率を高めるために高い電位差を作る必要がある。このため特に高速動作が必要な水平転送ＣＣＤでの電力消費が大きいという特徴がある。ＣＣＤ型固体撮像素子も、主に、携帯電話機、デジタルカメラ、ビデオカメラに利用されている。
【００２３】
撮像素子で生成された映像アナログ信号は、第一Ａ／Ｄ変換部に出力されるなどして利用される。
【００２４】
（第一Ａ／Ｄ変換部）
「第一Ａ／Ｄ変換部」は、撮像素子からの映像アナログ信号を映像デジタル信号に変換するように構成されている。ここで映像アナログ信号は、連続的で無限に細分可能な信号であり、ビット列のように離散的な映像デジタル信号に変換される。第一Ａ／Ｄ変換部は、時間方向と振幅方向の成分を持つ映像アナログ信号を、ある時点での値を取り出す「標本化」と、振幅を数値化する「量子化」という操作によって映像デジタル信号に変換する。以下標本化処理と量子化処理について簡単に説明する。
【００２５】
上述のように、映像アナログ信号を映像デジタル信号に変換するには、標本化処理及び量子化処理を行いデジタル信号にする必要がある。「標本化処理（サンプリング信号ともいう）」とは、アナログ信号を標本化信号で時間軸方向に分軸する処理のことをいう。標本化された信号は、階段状の信号になり、元のアナログ信号とは若干異なるが、ほぼ近似している。分軸する標本化信号は、細かい程アナログ信号に戻したときの精度が高くなるが、通常は２倍以上あれば支障ない。
【００２６】
また、第一Ａ／Ｄ変換部から出力される信号は、デジタル信号であるので、ノイズに強くなる。特に、撮像素子と、撮像素子で取得した映像を出力する端子が位置的に離れているような場合に有効である。なぜならば、撮像素子から出力端子までのパターン配線を引き回す必要が生じるのでそのパターン配線にノイズがのりやすくなるからである。変換された映像デジタル信号は、第一Ｄ／Ａ変換部に出力されるなどして利用される。
【００２７】
（第一Ｄ／Ａ変換部）
「第一Ｄ／Ａ変換部」は、第一Ａ／Ｄ変換部から出力される映像デジタル信号を映像アナログ信号に変換するように構成されている。ここで映像デジタル信号は、ビット列のように離散的な信号であり、連続的で無限に細分可能な映像アナログ信号に変換される。第一Ｄ／Ａ変換部で変換される映像アナログ信号には、一例として、ＲＧＢ信号、Ｙ／Ｃ信号（Ｙ、Ｐｂ、Ｐｒ信号ともいう）などのアナログセパレート信号などが挙げられる。また、映像アナログ信号は、例えば、上記アナログセパレート信号から生成されたコンポジット信号であるＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）、ＰＡＬ（Ｐｈａｓｅ  Ａｌｔｅｒｎａｔｉｏｎ  ｂｙ  Ｌｉｎｅ）、ＳＥＣＡＭ（順次式カラーメモリ）などのテレビジョン方式のアナログ信号であってもよい。変換された映像アナログ信号は、第二Ａ／Ｄ変換部に出力されるなどして利用される。
【００２８】
なお、第一Ａ／Ｄ変換部と、第一Ｄ／Ａ変換部と、により人間の目には認識できないような極めて微細な変換を施した映像アナログ信号に変換することができる（画像変換機能）。なぜならば、第一Ａ／Ｄ変換部により、映像アナログ信号を、所望の画質を有する映像デジタル信号に変換したり、第一Ｄ／Ａ変換部により、映像デジタル信号を所望の画質を有する映像アナログ信号に変換したりすることができるからである。
【００２９】
また、第一Ｄ／Ａ変換部は、第一Ａ／Ｄ変換部とともに、撮像素子から直接的に出力される映像アナログ信号中の高調波成分を除去するフィルター機能を有するように構成されていてもよい。例えば、第一Ａ／Ｄ変換部には、ローパスフィルター機能を搭載し、第一Ｄ／Ａ変換部には、バンドパスフィルターを搭載するように構成することが可能である。フィルター機能を有することにより、高調波成分を除去することができるので、ノイズの影響などによる映像の乱れを防止することができる（ノイズ除去機能）。
【００３０】
（第二Ａ／Ｄ変換部）
「第二Ａ／Ｄ変換部」は、第一Ｄ／Ａ変換部から出力される映像アナログ信号を再度映像デジタル信号に変換するように構成されている。例えば、映像アナログ信号を標本化する場合は、サブキャリヤーの４倍の周波数を、サンプリング信号の周波数として使用する。次に「量子化処理」では、標本化されたパルス信号を「１」「０」のデジタル信号に変換する。標本化されたパルス信号は、そのレベルに準じて数値化される。量子化は、一例として、８ビットや１０ビットが使用されるが、８ビットの例でデジタル化する場合、映像アナログ信号の最小レベルを「０」とすると、最大レベルが「２５６」になり、この間については信号レベルに準じて「２〜２５５」に割り付けられる。割り付けられた値を元に「１」「０」の組み合わせで８ビットのデジタル信号に変換する。割り付ける値が多い（８ビットより１０ビットの方が多い）ほどレベルが細分化されるので、元の映像アナログ信号に戻した時に、忠実に再現することができるという特徴がある。また映像デジタル信号には、一例として、ＨＤ−ＳＤＩ（Ｈｉｇｈ  Ｄｅｆｉｎｉｔｉｏｎ−Ｓｅｒｉａｌ  Ｄｉｇｉｔａｌ  Ｉｎｔｅｒｆａｃｅ）信号、ＳＤ−ＳＤＩ（Ｓｔａｎｄａｒｄ  Ｄｅｆｉｎｉｔｉｏｎ−Ｓｅｒｉａｌ  Ｄｉｇｉｔａｌ  Ｉｎｔｅｒｆａｃｅ）信号などが挙げられる。ＨＤ−ＳＤＩ信号は、ハイビジョン映像信号をシリアル伝送するためのインターフェース信号であり、例えば、放送局内で使われる。ＳＤ−ＳＤＩ信号は、標準映像信号をシリアル伝送するためのインターフェースであり、例えば、放送局内で使われる。変換された映像デジタル信号は、例えば、放送局内の他の機器（例えばビデオスイッチなど）に出力されるなどして利用される。なお、第二Ａ／Ｄ変換部は、外来ノイズをフィルタする機能を有していてもよい。
【００３１】
上述した第一Ａ／Ｄ変換部と、第二Ａ／Ｄ変換部と、二つのＡ／Ｄ変換部を有する構成とすることにより、画像変換機能や、ノイズ除去機能を実現することができる。
【００３２】
（撮影システム）
本実施形態の撮影システムは、撮像素子と、第一Ａ／Ｄ変換部と、第一Ｄ／Ａ変換部と、第二Ａ／Ｄ変換部とが、一体的に構成される場合に限定されるものではない。例えば、撮像素子と、第一Ａ／Ｄ変換部と、第一Ｄ／Ａ変換部と、が一体的に構成され（例えばビデオカメラのようなもの）、第二Ａ／Ｄ変換部がそれと合体して接続されるような構成であってもよい。
【００３３】
また、本実施形態の撮影システムは、デジタル圧縮処理されていない映像デジタル信号を利用することができるため、映像デジタル信号の出力先においてリアルタイムに近い状態でデジタル映像を利用することができる。なぜならば、比較的リアルタイム処理に影響の少ないＡ／Ｄ変換又はＤ／Ａ変換は行うが、処理に時間のかかるデジタル圧縮処理を行わないからである。
【００３４】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図２は、本実施形態の処理の流れの一例を示すための図である。
まず、本実施形態の撮影システムにおいて、撮像素子は、映像を取得する（ステップＳ０２０１）。
次に、本実施形態の撮影システムにおいて、第一Ａ／Ｄ変換ステップは、撮像素子からの映像アナログ信号を映像デジタル信号に変換する（ステップＳ０２０２）。
次に、本実施形態の撮影システムにおいて、第一Ｄ／Ａ変換ステップは、第一Ａ／Ｄ変換ステップから出力される映像デジタル信号を映像アナログ信号に変換する（ステップＳ０２０３）。
【００３５】
次に、本実施形態の撮影システムにおいて、第二Ａ／Ｄ変換ステップは、第一Ｄ／Ａ変換ステップから出力される映像アナログ信号を再度映像デジタル信号に変換する（ステップＳ０２０４）。
【００３６】
（実施例１）
以下に、実施例１について説明する。
図３は、本実施例の具体的機能ブロックの一例を示すための図である。
まず、撮像素子０３０１は、映像（人がサッカーボールを蹴っている映像）を取得する。
次に、第一Ａ／Ｄ変換部０３０２は、撮像素子からの映像アナログ信号を映像デジタル信号に変換する。
次に、第一Ｄ／Ａ変換部０３０３は、第一Ａ／Ｄ変換部から出力される映像デジタル信号をＮＴＳＣ方式の映像アナログ信号に変換する。
次に、第二Ａ／Ｄ変換部０３０４は、第一Ｄ／Ａ変換部から出力されるＮＴＳＣ方式の映像アナログ信号をＨＤ−ＳＤＩ信号の映像デジタル信号に変換する。
【００３７】
<実施形態１の効果の簡単な説明>
本実施形態によれば、ビデオカメラで撮影した映像信号を、複数のＡ／Ｄ変換を行って映像デジタル信号出力することが可能である。したがって、映像アナログ信号の出力形式を変更したり、映像アナログ信号に乗った高調波ノイズを除去したりすることができる。
【００３８】
<<実施形態２>>
以下に、実施形態２について説明する。
<実施形態２の概念>
以下に本実施形態の概念について説明する。本実施形態は、さらにモータを有し、第一Ａ／Ｄ変換部から前記第一Ｄ／Ａ変換部への配線部がモータ近傍を引き回されている実施形態１に記載の撮影システムに関する。
【００３９】
<構成要件の明示>
以下に、本実施形態の構成要件を明示する。
図４は、本実施形態の撮影システムの機能ブロックの一例を示す図である。撮影システム０４００は、撮像素子０４０１と、第一Ａ／Ｄ変換部０４０２と、第一Ｄ／Ａ変換部０４０３と、第二Ａ／Ｄ変換部０４０４と、モータ０４０５と、からなる。
【００４０】
<構成要件の説明>
以下に、本実施形態の構成要件について説明をする。
（撮像素子）、（第一Ａ／Ｄ変換部）、（第一Ｄ／Ａ変換部）、（第二Ａ／Ｄ変換部）
「撮像素子」、「第一Ａ／Ｄ変換部」、「第一Ｄ／Ａ変換部」、「第二Ａ／Ｄ変換部」については、実施形態１と同様であるので説明を省略する。
【００４１】
（モータ）
「モータ」は、第一Ａ／Ｄ変換部から第一Ｄ／Ａ変換部への配線部がモータ近傍を引き回されているように構成されている。モータには、一例として、ＣＤ−ＲＯＭ／ＤＶＤドライブのスピンドル・モータ、カメラのオートフォーカス・ズームのモータ、デジタルビデオカメラのレンズ用ステッピング・モータなどの駆動に使用するモータ・ドライバ回路などが挙げられる。またモータは、ノイズ源となりやすい。そして、一般的には、アナログ信号にはノイズが乗り易く、デジタル信号にはノイズが乗りにくいという特徴がある。本実施形態においては、第一Ａ／Ｄ変換部から第一Ｄ／Ａ変換部への配線部（映像デジタル信号が通過）がモータ近傍を引き回されているように構成されているため、映像デジタル信号は、モータによるノイズの影響を受けにくい。
【００４２】
<処理の流れ>
本実施形態の処理の流れは、実施形態１の処理の流れと同様なので説明を省略する。
【００４３】
（実施例２）
以下に、実施例２について説明する。
図５は、本実施例の具体的機能ブロックの一例を示すための図である。
まず、撮像素子０５０１は、映像（人がサッカーボールを蹴っている映像）を取得する。
次に、第一Ａ／Ｄ変換部０５０２は、撮像素子からの映像アナログ信号を映像デジタル信号に変換する。
次にモータ０５０５は、ノイズを発生する（しかしながら第一Ａ／Ｄ変換部から第一Ｄ／Ａ変換部への配線部がモータ近傍を引き回されているように構成されているため、映像デジタル信号は、モータによるノイズの影響を受けにくい）。
次に、第一Ｄ／Ａ変換部０５０３は、第一Ａ／Ｄ変換部から出力される映像デジタル信号をＮＴＳＣ方式の映像アナログ信号に変換する。
次に、第二Ａ／Ｄ変換部０５０４は、第一Ｄ／Ａ変換部から出力されるＮＴＳＣ方式の映像アナログ信号をＨＤ−ＳＤＩ信号の映像デジタル信号に変換する。
【００４４】
<実施形態２の効果の簡単な説明>
本実施形態においては、第一Ａ／Ｄ変換部から第一Ｄ／Ａ変換部への配線部がモータ近傍を引き回されているように構成されているため、配線部を通過する映像デジタル信号は、モータによるノイズの影響を受けにくいという特徴を有する。
【００４５】
<<実施形態３>>
以下に、実施形態３について説明する。
<実施形態３の概念>
以下に本実施形態の概念について説明する。本実施形態は、マイクと、前記マイクからの音声アナログ信号を音声デジタル信号に変換する第三Ａ／Ｄ変換部と、前記第二Ａ／Ｄ変換部からの映像デジタル信号と、前記第三Ａ／Ｄ変換部からの音声デジタル信号とを重ね合わせて映像・音声デジタル信号とする映像・音声デジタル信号生成部と、を有する実施形態１に記載の撮影システムに関する。
【００４６】
<構成要件の明示>
以下に、本実施形態の構成要件を明示する。
図６は、本実施形態の撮影システムの機能ブロックの一例を示す図である。撮影システム０６００は、撮像素子０６０１と、第一Ａ／Ｄ変換部０６０２と、第一Ｄ／Ａ変換部０６０３と、第二Ａ／Ｄ変換部０６０４と、マイク０６０５と、第三Ａ／Ｄ変換部０６０６と、映像・音声デジタル信号生成部０６０７と、からなる。マイクは、音声取得器と、音声増幅器と、を有している。
【００４７】
<構成要件の説明>
以下に、本実施形態の構成要件について説明をする。
（撮像素子）、（第一Ａ／Ｄ変換部）、（第一Ｄ／Ａ変換部）、（第二Ａ／Ｄ変換部）
「撮像素子」、「第一Ａ／Ｄ変換部」、「第一Ｄ／Ａ変換部」、「第二Ａ／Ｄ変換部」については、実施形態１と同様であるので説明を省略する。
【００４８】
（マイク）
「マイク」は、音声を取得するように構成されている（音声取得器）。また、「マイク」は、音声取得器が取得した音声を増幅し、音声アナログ信号とするように構成されている（音声増幅器）。マイクは、マイクロホンともいう。マイクには、一例として、カメラマイク、ガンマイク、ピンマイク、ズームマイク、ハンドマイクなどが挙げられる。カメラマイクは、ビデオカメラとマイクが一体化したマイクのことをいう。ガンマイクとは、指向性の鋭いマイクロホンのことをいい、例えば、舞台やロケ地で離れた距離から収音する時に利用される。ピンマイクとは、ネクタイピンのようなクリップをつけた超小型のマイクロホンのことをいう。ズームマイクとは、カメラのズームに連動して、音をとらえるマイクのことをいい、例えば、学芸会の演劇を客席から撮影するなど、離れた被写体の音声を録音したい時に利用される。マイクで取得された音声は、音声アナログ信号として、第三Ａ／Ｄ変換部に出力されるなどして利用される。
【００４９】
（第三Ａ／Ｄ変換部）
「第三Ａ／Ｄ変換部」は、マイクからの音声アナログ信号を音声デジタル信号に変換するように構成されている。音声アナログ信号を音声デジタル信号に変換するには、標本化処理及び量子化処理を行いデジタル信号にする。標本化処理（サンプリング信号ともいう）とはアナログ信号を標本化信号で時間軸方向に分軸する処理のことをいう。標本化された信号は、階段状の信号になり、元のアナログ信号とは若干異なるが、ほぼ近似している。分軸する標本化信号は、細かい程アナログ信号に戻したときの精度が高くなるが、通常は２倍以上あれば支障ない。サンプリング信号の周波数は、一例として、音声アナログ信号では、４４ｋＨｚが使用される。次に量子化処理では、標本化されたパルス信号を「１」「０」のデジタル信号に変換する。標本化されたパルス信号は、そのレベルに準じて数値化される。音声アナログ信号の場合は、量子化は、例えば、１６ビット、２０ビットあるいは２４ビットで量子化される。変換された音声デジタル信号は、映像・音声デジタル信号生成部に出力されるなどして利用される。
【００５０】
（映像・音声デジタル信号生成部）
「映像・音声デジタル信号生成部」は、第二Ａ／Ｄ変換部からの映像デジタル信号と、第三Ａ／Ｄ変換部からの音声デジタル信号とを重ね合わせて映像・音声デジタル信号とするように構成されている。また、映像デジタル信号と、音声デジタル信号は、同期して重ね合わされるように構成されている。同期方式には、一例として、内部同期、外部同期、などが挙げられる。「内部同期」とは、映像デジタル信号又は音声デジタル信号入力に含まれる同期信号を使用して、その同期信号に同期させることをいう。「外部同期」とは、映像デジタル信号又は音声デジタル信号入力に含まれる同期信号を使用せずに別の同期信号で同期させることをいう。映像・音声デジタル信号には、一例として、音声デジタル信号と同期したＨＤ−ＳＤＩ信号、ＳＤ−ＳＤＩ信号などが挙げられる。生成された映像・音声デジタル信号は、例えば、放送局に出力されるなどして利用される。
【００５１】
（撮影システム）
本実施形態の撮影システムは、撮像素子と、第一Ａ／Ｄ変換部と、第一Ｄ／Ａ変換部と、第二Ａ／Ｄ変換部とが、一体的に構成される場合に限定されるものではない。例えば、撮像素子と、第一Ａ／Ｄ変換部と、第一Ｄ／Ａ変換部と、が一体的に構成され（例えばビデオカメラのようなもの）、第二Ａ／Ｄ変換部と、第三Ａ／Ｄ変換部と、映像・音声デジタル信号生成部と、が一体的に構成され、それら一体的に構成されたものが合体して接続されているような構成であってもよい（実施例３の２に示す）。
【００５２】
<処理の流れ>
以下に、本実施形態の処理の流れについて説明する。
図７は、本実施形態の処理の流れの一例を示すための図である。
まず、本実施形態の撮影システムにおいて、撮像素子は、映像を取得する（ステップＳ０７０１）。
次に、本実施形態の撮影システムにおいて、第一Ａ／Ｄ変換ステップは、撮像素子からの映像アナログ信号を映像デジタル信号に変換する（ステップＳ０７０２）。
次に、本実施形態の撮影システムにおいて、第一Ｄ／Ａ変換ステップは、第一Ａ／Ｄ変換ステップから出力される映像デジタル信号を映像アナログ信号に変換する（ステップＳ０７０３）。
次に、本実施形態の撮影システムにおいて、第二Ａ／Ｄ変換ステップは、第一Ｄ／Ａ変換ステップから出力される映像アナログ信号を再度映像デジタル信号に変換する（ステップＳ０７０４）。
次に、本実施形態の撮影システムにおいて、マイクは、音声を取得する（ステップＳ０７０５）。
次に、本実施形態の撮影システムにおいて、第三Ａ／Ｄ変換ステップは、マイクからの音声アナログ信号を音声デジタル信号に変換する（ステップＳ０７０６）。
次に、本実施形態の撮影システムにおいて、映像・音声デジタル信号生成ステップは、第二Ａ／Ｄ変換ステップからの映像デジタル信号と、第三Ａ／Ｄ変換ステップからの音声デジタル信号とを重ね合わせて映像・音声デジタル信号とする（ステップＳ０７０７）。
なお、ステップＳ０７０１〜Ｓ０７０４の処理と、ステップＳ０７０５〜Ｓ０７０６の処理は、順番が逆転してもよいし、同時であってもよい。
【００５３】
（実施例３）
以下に、実施例３について説明する。
図８は、本実施例の具体的機能ブロックの一例を示すための図である。
まず、撮像素子０８０１は、映像（人がサッカーボールを蹴っている映像）を取得する。
次に、第一Ａ／Ｄ変換部０８０２は、撮像素子からの映像アナログ信号を映像デジタル信号に変換する。
次に、第一Ｄ／Ａ変換部０８０３は、第一Ａ／Ｄ変換部から出力される映像デジタル信号をＮＴＳＣ方式の映像アナログ信号に変換する。
次に、第二Ａ／Ｄ変換部０８０４は、第一Ｄ／Ａ変換部から出力されるＮＴＳＣ方式の映像アナログ信号をＨＤ−ＳＤＩ信号の映像デジタル信号に変換する。
次に、マイク０８０５は、音声（サッカー中継です）を取得する。
次に、第三Ａ／Ｄ変換部０８０６は、マイクからの音声アナログ信号を音声デジタル信号に変換する。
次に、映像・音声デジタル信号生成部０８０７は、第二Ａ／Ｄ変換部からの映像デジタル信号と、第三Ａ／Ｄ変換部からの音声デジタル信号とを重ね合わせて映像・音声デジタル信号とする。
【００５４】
（実施例３の２）
以下に、実施例３の２について説明する。
図１５は、本実施例の具体的機能ブロックの一例を示すための図である。本実施例においては、撮像素子と、第一Ａ／Ｄ変換部と、第一Ｄ／Ａ変換部と、マイクと、が一体的に構成され（ＨＤ／ＳＤ  Ｃａｍｅｒａ：１５０１）、第二Ａ／Ｄ変換部（ＡＤＣ：１５０２）と、第三Ａ／Ｄ変換部（ＡＤＣ：１５０７）と、映像・音声デジタル信号生成部（Ｖ−ＭＵＸ：１５０５、Ａ−ＭＵＸ：１５０６）と、が一体的に構成され、それら一体的に構成されたものが合体して接続されている例である。
まず、ＨＤ／ＳＤ  Ｃａｍｅｒａ（１５０１）から出力された映像アナログ信号及び音声アナログ信号は、アナログ信号入力端子（Ｄｅｄｉｃａｔｅｄ  Ｃｏｎｎｅｃｔｏｒ：１５１５）を介して、ＨＤアナログ／ＨＤ−ＳＤＩコンバーター（ＨＤ  Ａｎａｌｏｇ  ｔｏ  ＨＤ−ＳＤＩ  Ｃｏｎｖｅｒｔｅｒ：１５００）に入力される。
次に、映像アナログ信号は、アナログ信号入力端子１５１５のＹ、Ｐｂ、Ｐｒ信号端子を通過して、第二Ａ／Ｄ変換部（ＡＤＣ：１５０２）に入力される。第二Ａ／Ｄ変換部１５０２に入力された映像アナログ信号は、映像デジタル信号に変換されて、ＨＤ／ＳＤのモードを検出するモード検出器（Ｍｏｄｅ  Ｄｅｔｅｃｔ：１５０３）に出力される。モード検出器１５０３は、映像デジタル信号とともにモードをフレーム同期器（Ｆｒａｍｅ  Ｓｙｎｃ：１５０４）に出力する。フレーム同期器１５０４は、映像デジタル信号を映像・音声デジタル信号生成部（Ｖ−ＭＵＸ：１５０５、Ａ−ＭＵＸ：１５０６）に出力する。この時、外部同期信号（ＥＸＴ  Ｓｙｎｃ：１５１４）によって同期がとられる。
【００５５】
次に、音声アナログ信号は、アナログ信号入力端子１５１５のＬ、Ｒ信号端子を通過して、第三Ａ／Ｄ変換部（ＡＤＣ：１５０７）に入力される。第三Ａ／Ｄ変換部１５０７に入力された音声アナログ信号は、音声デジタル信号に変換されて、暗号化器１５０８（ＡＥＳ：Ａｄｖａｎｃｅｄ  Ｅｎｃｒｙｐｔｉｏｎ  Ｓｔａｎｄａｒｄ）に出力される。暗号化器１５０８に入力された音声デジタル信号は、暗号化されて映像・音声デジタル信号生成部（Ｖ−ＭＵＸ：１５０５、Ａ−ＭＵＸ：１５０６）に出力される。それとともに、暗号化器１５０８の出力は、音声レベルなどのマーカーを付与するためのマーカー器１５０９に出力され、マーカー器１５０９からのマーカー出力が映像・音声デジタル信号生成部（Ｖ−ＭＵＸ：１５０５、Ａ−ＭＵＸ：１５０６）に出力される。
【００５６】
次に、映像・音声デジタル信号生成部（Ｖ−ＭＵＸ：１５０５、Ａ−ＭＵＸ：１５０６）に入力された映像デジタル信号、音声デジタル信号、マーカー信号は、映像・音声デジタル信号としてデジタル信号出力端子（ＨＤ／ＳＤ−ＳＤＩ：１５１６、１５１７）に出力される。デジタル信号出力端子１５１７からの出力は、電気・光変換器（Ｅ／Ｏ：１５１９）によって光デジタル信号として出力可能である。
【００５７】
また、アナログ信号入力端子１５１５のＹ、Ｐｂ、Ｐｒ信号端子を通過した映像アナログ信号は、Ｄ４信号端子１５１２から映像アナログ信号として出力可能である。アナログ信号入力端子１５１５のＬ、Ｒ信号端子を通過した音声アナログ信号は、オーディオ端子（Ａｕｄｉｏ：１５１８）から音声アナログ信号として出力可能である。
【００５８】
なお、電源管理器（Ｐｏｗｅｒ  Ｍａｎａｇｅｍｅｎｔ：１５１０）は、ＨＤアナログ／ＨＤ−ＳＤＩコンバーター１５００の電源を管理する。ＬＥＤ表示部（ＬＥＤ：１５１１）は、同期、テスト、電源の状態などをＬＥＤ表示する。パネルスイッチ（Ｐａｎｅｌ  Ｓｗｉｔｃｈ：１５１３）は、同期、マーカー表示、オーディオレベル、モード、テストなどの状態を操作するためのボタンである。
【００５９】
<実施形態３の効果の簡単な説明>
本実施形態によれば、ビデオカメラで撮影した映像信号を、複数のＡ／Ｄ変換を行って映像デジタル信号出力し、音声デジタル信号とを重ね合わせて映像・音声デジタル信号とすることができる。
【００６０】
<<実施形態４>>
以下に、実施形態４について説明する。
<実施形態４の概念>
以下に本実施形態の概念について説明する。本実施形態は、第一Ａ／Ｄ変換部から出力される映像デジタル信号を画像圧縮信号に符号化する画像圧縮信号符号化部を有する実施形態１から３のいずれか一に記載の撮影システムに関する。
【００６１】
<構成要件の明示>
以下に、本実施形態の構成要件を明示する。
図９は、本実施形態の撮影システムの機能ブロックの一例を示す図である。撮影システム０９００は、撮像素子０９０１と、第一Ａ／Ｄ変換部０９０２と、第一Ｄ／Ａ変換部０９０３と、第二Ａ／Ｄ変換部０９０４と、マイク０９０５と、第三Ａ／Ｄ変換部０９０６と、映像・音声デジタル信号生成部０９０７と、画像圧縮信号符号化部０９０８と、からなる。なお、図示はしていないが、さらにモータを有し、第一Ａ／Ｄ変換部から第一Ｄ／Ａ変換部への配線部がモータ近傍を引き回されている構成であってもよい。
【００６２】
<構成要件の説明>
以下に、本実施形態の構成要件について説明をする。
（撮像素子）、（第一Ａ／Ｄ変換部）、（第一Ｄ／Ａ変換部）、（第二Ａ／Ｄ変換部）、（マイク）、（第三Ａ／Ｄ変換部）、（映像・音声デジタル信号生成部）
「撮像素子」、「第一Ａ／Ｄ変換部」、「第一Ｄ／Ａ変換部」、「第二Ａ／Ｄ変換部」、「マイク」、「第三Ａ／Ｄ変換部」、「映像・音声デジタル信号生成部」については、実施形態１から３のいずれか一と同様であるので説明を省略する。
【００６３】
（画像圧縮信号符号化部）
「画像圧縮信号符号化部」は、第一Ａ／Ｄ変換部から出力される映像デジタル信号を画像圧縮信号に符号化するように構成されている。ここで「画像圧縮」には、一例として、Ｍｏｔｉｏｎ−ＪＰＥＧ（Ｊｏｉｎｔ  Ｐｈｏｔｏｇｒａｐｈｉｃ  Ｅｘｐｅｒｔ  Ｇｒｏｕｐ）、Ｈ．２６４、ＪＰＥＧ２０００、ＭＰＥＧ−１、ＭＰＥＧ−２、ＭＰＥＧ−４、ＭＰＥＧ−４  ＡＶＣ（Ｈ．２６４ともいう）、ＭＰＥＧ−７などが挙げられる。ここで「ＭＰＥＧ（Ｍｏｖｉｎｇ  Ｐｉｃｔｕｒｅ  Ｅｘｐｅｒｔｓ  Ｇｒｏｕｐ）」とは、ＩＳＯ／ＩＥＣ  ＪＴＣ１  ＳＣ２９／ＷＧ１１で策定されている画像や音声データの高能率符号化（圧縮）方式を規格化した規格のことをいう。本実施形態においては、各種デジタルテレビ放送やＤＶＤ−Ｖｉｄｅｏ等で使われている、カラー動画及び音声圧縮・符号化標準であるＭＰＥＧ−２が、主に、利用される。画像圧縮信号に符号化され圧縮された映像デジタル信号は、主に、ＣＤやＤＶＤなどの記憶部に出力されるなどして利用される。
【００６４】
なお、画像圧縮信号符号化部を第一Ａ／Ｄ変換部の後段に配置する理由は、第一Ａ／Ｄ変換部と、第一Ｄ／Ａ変換部で構成されるフィルター処理を行う必要がないからである。なぜならば、圧縮処理においてフィルター処理ができるためである。その結果、画像圧縮信号符号化部の構成の自由度が高まるのでよい。
【００６５】
<処理の流れ>
以下に、本実施形態の処理の流れについて説明する。
図１０は、本実施形態の処理の流れの一例を示すための図である。
まず、本実施形態の撮影システムにおいて、撮像素子は、映像を取得する（ステップＳ１００１）。
次に、本実施形態の撮影システムにおいて、第一Ａ／Ｄ変換ステップは、撮像素子からの映像アナログ信号を映像デジタル信号に変換する（ステップＳ１００２）。
次に、本実施形態の撮影システムにおいて、画像圧縮信号符号化ステップは、第一Ａ／Ｄ変換ステップから出力される映像デジタル信号を画像圧縮信号に符号化する（ステップＳ１００３）。
次に、本実施形態の撮影システムにおいて、第一Ｄ／Ａ変換ステップは、第一Ａ／Ｄ変換ステップから出力される映像デジタル信号を映像アナログ信号に変換する（ステップＳ１００４）。
次に、本実施形態の撮影システムにおいて、第二Ａ／Ｄ変換ステップは、第一Ｄ／Ａ変換ステップから出力される映像アナログ信号を再度映像デジタル信号に変換する（ステップＳ１００５）。
次に、本実施形態の撮影システムにおいて、マイクは、音声を取得する（ステップＳ１００６）。
次に、本実施形態の撮影システムにおいて、第三Ａ／Ｄ変換ステップは、マイクからの音声アナログ信号を音声デジタル信号に変換する（ステップＳ１００７）。
次に、本実施形態の撮影システムにおいて、映像・音声デジタル信号生成ステップは、第二Ａ／Ｄ変換ステップからの映像デジタル信号と、第三Ａ／Ｄ変換ステップからの音声デジタル信号とを重ね合わせて映像・音声デジタル信号とする（ステップＳ１００８）。
なお、ステップＳ１００１〜Ｓ１００５の処理と、ステップＳ１００６〜Ｓ１００７の処理は、順番が逆転してもよいし、同時であってもよい。また、ステップＳ１００３の処理と、ステップＳ１００４〜Ｓ１００５の処理は、順番が逆転してもよいし、同時であってもよい。さらに、ステップＳ１００３の処理と、ステップＳ１００７の処理は、順番が逆転してもよいし、同時であってもよい。
【００６６】
（実施例４）
以下に、実施例４について説明する。
図１１は、本実施例の具体的機能ブロックの一例を示すための図である。
まず、撮像素子１１０１は、映像（人がサッカーボールを蹴っている映像）を取得する。
次に、第一Ａ／Ｄ変換部１１０２は、撮像素子からの映像アナログ信号を映像デジタル信号に変換する。
次に、画像圧縮信号符号化部１１０８は、第一Ａ／Ｄ変換部から出力される映像デジタル信号を画像圧縮信号に符号化する。
次に、第一Ｄ／Ａ変換部１１０３は、第一Ａ／Ｄ変換部から出力される映像デジタル信号をＮＴＳＣ方式の映像アナログ信号に変換する。
次に、第二Ａ／Ｄ変換部１１０４は、第一Ｄ／Ａ変換部から出力されるＮＴＳＣ方式の映像アナログ信号をＨＤ−ＳＤＩ信号の映像デジタル信号に変換する。
次に、マイク１１０５は、音声（サッカー中継です）を取得する。
次に、第三Ａ／Ｄ変換部１１０６は、マイクからの音声アナログ信号を音声デジタル信号に変換する。
次に、映像・音声デジタル信号生成部１１０７は、第二Ａ／Ｄ変換部からの映像デジタル信号と、第三Ａ／Ｄ変換部からの音声デジタル信号とを重ね合わせて映像・音声デジタル信号とする。
【００６７】
<実施形態４の効果の簡単な説明>
本実施形態においては、さらに画像圧縮信号符号化部を有するので、圧縮した映像を利用することができる。したがって、記憶領域の節約を図ることができる。
【００６８】
<<実施形態５>>
以下に、実施形態５について説明する。
<実施形態５の概念>
以下に本実施形態の概念について説明する。本実施形態は、映像・音声デジタル信号生成部からの映像・音声デジタル信号を出力する第一出力部と、画像圧縮信号符号化部からの画像圧縮信号を出力する第二出力部と、を有し、第一出力部と、第二出力部とは同時に信号出力が可能である実施形態４に記載の撮影システムに関する。
【００６９】
<構成要件の明示>
以下に、本実施形態の構成要件を明示する。
図１２は、本実施形態の撮影システムの機能ブロックの一例を示す図である。撮影システム１２００は、撮像素子１２０１と、第一Ａ／Ｄ変換部１２０２と、第一Ｄ／Ａ変換部１２０３と、第二Ａ／Ｄ変換部１２０４と、マイク１２０５と、第三Ａ／Ｄ変換部１２０６と、映像・音声デジタル信号生成部１２０７と、画像圧縮信号符号化部１２０８と、第一出力部１２０９と、第二出力部１２１０と、からなる。なお、図示はしていないが、さらにモータを有し、第一Ａ／Ｄ変換部から第一Ｄ／Ａ変換部への配線部がモータ近傍を引き回されている構成であってもよい。
【００７０】
<構成要件の説明>
以下に、本実施形態の構成要件について説明をする。
（撮像素子）、（第一Ａ／Ｄ変換部）、（第一Ｄ／Ａ変換部）、（第二Ａ／Ｄ変換部）、（マイク）、（第三Ａ／Ｄ変換部）、（映像・音声デジタル信号生成部）、（画像圧縮信号符号化部）
「撮像素子」、「第一Ａ／Ｄ変換部」、「第一Ｄ／Ａ変換部」、「第二Ａ／Ｄ変換部」、「マイク」、「第三Ａ／Ｄ変換部」、「映像・音声デジタル信号生成部」、「画像圧縮信号符号化部」については、実施形態４と同様であるので説明を省略する。
【００７１】
（第一出力部）
「第一出力部」は、映像・音声デジタル信号生成部からの映像・音声デジタル信号を出力するように構成されている。第一出力部から出力された映像・音声デジタル信号は、主に、放送局に出力されるなどして利用される。
【００７２】
（第二出力部）
「第二出力部」は、画像圧縮信号符号化部からの画像圧縮信号を出力するように構成されている。第二出力部から出力された画像圧縮信号は、主に、ＣＤやＤＶＤなどの記憶部に出力されるなどして利用される。
【００７３】
（撮影システム）
なお、本実施形態の第一出力部と、第二出力部とは同時に信号出力が可能であるように構成されている。ここで「同時」とは、第一出力部の出力と、第二出力部の出力を「非同期」に処理できるという意味である。したがって、第一出力部からリアルタイムの映像・音声デジタル信号を出力しながら、第二出力部から圧縮された画像圧縮信号出力を非同期で並列に行うことができる。
【００７４】
<処理の流れ>
以下に、本実施形態の処理の流れについて説明する。
図１３は、本実施形態の処理の流れの一例を示すための図である。
まず、本実施形態の撮影システムにおいて、撮像素子は、映像を取得する（ステップＳ１３０１）。
次に、本実施形態の撮影システムにおいて、第一Ａ／Ｄ変換ステップは、撮像素子からの映像アナログ信号を映像デジタル信号に変換する（ステップＳ１３０２）。
次に、本実施形態の撮影システムにおいて、画像圧縮信号符号化ステップは、第一Ａ／Ｄ変換ステップから出力される映像デジタル信号を画像圧縮信号に符号化する（ステップＳ１３０３）。
次に、本実施形態の撮影システムにおいて、第二出力ステップは、画像圧縮信号符号化ステップからの画像圧縮信号を出力する（ステップＳ１３０４）。
次に、本実施形態の撮影システムにおいて、第一Ｄ／Ａ変換ステップは、第一Ａ／Ｄ変換ステップから出力される映像デジタル信号を映像アナログ信号に変換する（ステップＳ１３０５）。
次に、本実施形態の撮影システムにおいて、第二Ａ／Ｄ変換ステップは、第一Ｄ／Ａ変換ステップから出力される映像アナログ信号を再度映像デジタル信号に変換する（ステップＳ１３０６）。
次に、本実施形態の撮影システムにおいて、マイクは、音声を取得する（ステップＳ１３０７）。
次に、本実施形態の撮影システムにおいて、第三Ａ／Ｄ変換ステップは、マイクからの音声アナログ信号を音声デジタル信号に変換する（ステップＳ１３０８）。
次に、本実施形態の撮影システムにおいて、映像・音声デジタル信号生成ステップは、第二Ａ／Ｄ変換ステップからの映像デジタル信号と、第三Ａ／Ｄ変換ステップからの音声デジタル信号とを重ね合わせて映像・音声デジタル信号とする（ステップＳ１３０９）。
次に、本実施形態の撮影システムにおいて、第一出力ステップは、映像・音声デジタル信号生成ステップからの映像・音声デジタル信号を出力する（ステップＳ１３１０）。
なお、ステップＳ１３０１〜Ｓ１３０６の処理と、ステップＳ１３０７〜Ｓ１３０８の処理は、順番が逆転してもよいし、同時であってもよい。また、ステップＳ１３０３〜Ｓ１３０４の処理と、ステップＳ１３０５〜Ｓ１３０６の処理は、順番が逆転してもよいし、同時であってもよい。さらに、ステップＳ１３０３〜Ｓ１３０４の処理と、ステップＳ１３０９〜Ｓ１３１０の処理は、順番が逆転してもよいし、同時であってもよい。
【００７５】
（実施例５）
以下に、実施例５について説明する。
図１４は、本実施例の具体的機能ブロックの一例を示すための図である。
まず、撮像素子１４０１は、映像（人がサッカーボールを蹴っている映像）を取得する。
次に、第一Ａ／Ｄ変換部１４０２は、撮像素子からの映像アナログ信号を映像デジタル信号に変換する。
次に、画像圧縮信号符号化部１４０８は、第一Ａ／Ｄ変換部から出力される映像デジタル信号を画像圧縮信号に符号化する。
次に、第二出力部１４１０は、画像圧縮信号符号化部からの画像圧縮信号を出力する
次に、第一Ｄ／Ａ変換部１４０３は、第一Ａ／Ｄ変換部から出力される映像デジタル信号をＮＴＳＣ方式の映像アナログ信号に変換する。
次に、第二Ａ／Ｄ変換部１４０４は、第一Ｄ／Ａ変換部から出力されるＮＴＳＣ方式の映像アナログ信号をＨＤ−ＳＤＩ信号の映像デジタル信号に変換する。
次に、マイク１４０５は、音声（サッカー中継です）を取得する。
次に、第三Ａ／Ｄ変換部１４０６は、マイクからの音声アナログ信号を音声デジタル信号に変換する。
次に、映像・音声デジタル信号生成部１４０７は、第二Ａ／Ｄ変換部からの映像デジタル信号と、第三Ａ／Ｄ変換部からの音声デジタル信号とを重ね合わせて映像・音声デジタル信号とする。
次に、第一出力部１４０９は、映像・音声デジタル信号生成部からの映像・音声デジタル信号を出力する。
【００７６】
<実施形態５の効果の簡単な説明>
本実施形態においては、第一出力部と、第二出力部とは同時に信号出力が可能であるように構成されている。したがって、圧縮されていない映像デジタル信号の出力処理と、圧縮された映像デジタル信号の出力処理と、を並列に行うことができる。
【産業上の利用可能性】
【００７７】
本発明は、ビデオカメラで撮影した映像信号を、複数のＡ／Ｄ変換を行って映像デジタル信号出力することが可能な撮影システムに利用可能である。
【図面の簡単な説明】
【００７８】
【図１】実施形態１の機能ブロック図
【図２】実施形態１の処理の流れ図
【図３】実施形態１の具体的機能ブロック図
【図４】実施形態２の機能ブロック図
【図５】実施形態２の具体的機能ブロック図
【図６】実施形態３の機能ブロック図
【図７】実施形態３の処理の流れ図
【図８】実施形態３の具体的機能ブロック図
【図９】実施形態４の機能ブロック図
【図１０】実施形態４の処理の流れ図
【図１１】実施形態４の具体的機能ブロック図
【図１２】実施形態５の機能ブロック図
【図１３】実施形態５の処理の流れ図
【図１４】実施形態５の具体的機能ブロック図
【図１５】実施形態３の実施例３の２の具体的機能ブロック図
【符号の説明】
【００７９】
０１００  撮影システム
０１０１  撮像素子
０１０２  第一Ａ／Ｄ変換部
０１０３  第一Ｄ／Ａ変換部
０１０４  第二Ａ／Ｄ変換部
【図１】
2007067697.tif 000003
【図２】
2007067697.tif 000004
【図３】
2007067697.tif 000005
【図４】
2007067697.tif 000006
【図５】
2007067697.tif 000007
【図６】
2007067697.tif 000008
【図７】
2007067697.tif 000009
【図８】
2007067697.tif 000010
【図９】
2007067697.tif 000011
【図１０】
2007067697.tif 000012
【図１１】
2007067697.tif 000013
【図１２】
2007067697.tif 000014
【図１３】
2007067697.tif 000015
【図１４】
2007067697.tif 000016
【図１５】
2007067697.tif 000017